(57)【要約】【課題】複数の編集装置を設けて利用者を振り分けて各編集装置で落書き編集を行ない、利用者の撮影時間や落書き編集時間をより長く確保すること。【解決手段】被写体を撮影する撮影手段を少なくとも有する撮影装置と、撮影画像に対して編集処理を行う編集手段を有する第１と第２の編集装置と、編集画像を印刷する印刷装置と、撮影装置、編集装置、印刷装置を制御する制御装置、とからなる画像プリント作成装置であって、制御装置は、撮影手段で被写体を撮影する以前において、第１の編集装置と第２の編集装置がともに編集処理を行っているとき（Ｓ９０４）、編集処理が終了するそれぞれの時間予測を行い（Ｓ９０７）、時間予測した時間に基づいて第１の編集装置か第２の編集装置のいずれかを利用先として指定（Ｓ９０８）する構成とする。その際、時間予測によって編集処理が先に終了する編集装置の方を利用先として指定する。【選択図】図９
2006276419.tif 000002
【特許請求の範囲】
【請求項１】
被写体を撮影する撮影手段、前記撮影手段で撮影した撮影画像を表示する表示手段を少なくとも有する撮影装置と、
前記撮影装置で得られた撮影画像に対して編集処理を行う編集手段を有する編集装置と、
前記編集処理を行った編集画像を印刷する印刷装置と、
前記撮影装置、前記編集装置、前記印刷装置を制御する制御装置と、からなる画像プリント作成装置であって、
前記制御装置は、複数の編集装置が利用中であって、前記撮影手段で次の被写体を撮影する以前において、前記複数の編集装置の中の任意の１つの編集装置を前記次の被写体のための利用先として指定する
ことを特徴とする画像プリント作成装置。
【請求項２】
請求項１において、
前記制御装置は、前記複数の編集装置の編集処理が終了するそれぞれの時間予測を行い、前記時間予測した時間に基づいて複数の編集装置の１つを利用先として指定する
ことを特徴とする画像プリント作成装置。
【請求項３】
請求項１において、
前記編集装置が２台の場合に、前記制御装置は、第１の編集装置と第２の編集装置がともに編集処理を行っているとき、編集処理が終了するそれぞれの時間予測を行い、前記時間予測した時間に基づいて第１の編集装置か第２の編集装置のいずれかを利用先として指定する
ことを特徴とする画像プリント作成装置。
【請求項４】
請求項２または３において、
前記制御装置は、前記時間予測によって編集処理が先に終了する編集装置の方を利用先として指定する
ことを特徴とする画像プリント作成装置。
【請求項５】
請求項１乃至４のいずれか１つの請求項において、
前記複数の編集装置の中の１つの編集装置を利用先として指定した場合、前記被写体の撮影以前の時点で当該編集装置の編集処理終了までの時間を予測し、
前記予測した時間が予め設定した規定値を超えるときに前記予測時間を撮影時間として設定する
ことを特徴とする画像プリント作成装置。
【請求項６】
請求項１乃至４のいずれか１つの請求項において、
前記複数の編集装置の中の１つの編集装置を利用先として指定した場合、前記被写体の撮影以前の時点で当該編集装置の編集処理終了までの時間を予測し、
前記予測した時間が予め設定した規定値以下のときに前記規定値を撮影時間として設定する
ことを特徴とする画像プリント作成装置。
【請求項７】
被写体を撮影する撮影手段を少なくとも有する撮影装置と、前記撮影装置で得られた撮影画像に対して編集処理を行う編集手段を少なくとも有する第１と第２の編集装置と、前記編集処理を行った編集画像を印刷する印刷装置と、前記撮影装置、前記編集装置、前記印刷装置を制御する制御装置、とからなる画像プリント作成装置における撮影した被写体像の落書き処理方法であって、
複数の編集装置が利用中であって、前記撮影手段で次の被写体を撮影する以前において、前記第１の編集装置と前記第２の編集装置がともに編集処理を行っているとき、編集処理が終了するそれぞれの時間予測を行うステップと、
前記時間予測によって編集処理が先に終了する編集装置の方を前記次の被写体のための利用先として指定するステップと、
前記指定された編集装置で落書き処理を実施するステップと、からなる
ことを特徴とする被写体像の落書き方法。
【発明の詳細な説明】
【技術分野】
【０００１】
本発明は、遊技場、遊園地などのアミューズメント施設などで利用者の全身、もしくは上半身を画像撮影するのに最適で、なお、簡易な構成で解像度の高い画像を得る画像プリント作成装置及び方法に関するものである。
【背景技術】
【０００２】
従来技術として、一般的に、画像プリント作成装置あるいは写真シール自販機と呼ばれるアミューズメント装置は利用者である被写体をデジタルカメラで撮影し、その撮影画像と利用者が予め選択していた背景（フレーム）画像とを合成した画像をシール紙に印刷する装置が知られている。このような画像プリント作成装置では、表示装置の表示画面上に落書き用の複数のキャラクタ画像を表示させ、この中から任意の落書き用画像を利用者に選択させ、その選択した落書き用画像を表示画面の任意の位置に配置させることにより、被写体像に落書き用画像が合成された写真シールを出力するように構成されている。
【０００３】
また、従来の画像プリント作成装置として、被写体を撮影する撮影装置の他に、落書き等を含む編集処理を行う編集装置を２個設け、それぞれの編集装置が独立に並行に編集処理を行うことで、ユーザの利用回転率を向上させ、順番待ちの時間を短縮する技術が提案されている（例えば、特許文献１を参照）。
【特許文献１】特開２００３−３２５８６号公報
【発明の開示】
【発明が解決しようとする課題】
【０００４】
上記従来技術の一般的な画像プリント作成装置においては、落書きなどの編集処理を行うための編集装置が複数設置されるものではなかった。また、各編集装置の動作乃至機能が同一である編集装置を２台設置した構成例を示す上記特許文献１は、撮影処理の終了後に、２台の内、常に最初に利用者を誘導しようとする編集装置が予め決まっているので、他の編集室が空いていても、まず、予め決められている編集室が利用されているか否かをチェックする処理が行われる。チェック結果として、対象の編集室が利用されていれば、他の編集装置を利用するように制御し（他の編集装置を利用するように利用者を他の編集装置側に行くように誘導する制御）、利用されていなければ当該特定の編集装置を利用するというように、利用する編集装置を判断する際に特定の編集装置の利用状況をまず判断してその結果を基に利用の順番付けする制御を行うものであった。
【０００５】
したがって、上記の特許文献１で開示される技術では各編集装置の利用状況に拘わらず最初に誘導しようとする編集室は決まっており、一度、利用の有無を確認しなければならないという時間的無駄があった。また、どちらの編集装置を利用するかの判断は、撮影後に行われるものであって、２台の編集装置を同時利用して、利用者の落書き時間や撮影時間をより長く確保するという観点からの配慮に欠けていた。
【０００６】
なお、編集装置における編集機能としては、色合わせ機能や画トリミング機能などの他に、日付、手書き文字、スタンプなどを被写体画像に合成する落書き機能が準備されており、本発明では編集機能として主として落書き機能を対象とするものである。
【０００７】
本発明の目的は、利用者が画像編集する際に設けられている複数の編集装置に効率良く利用者を振り分けて各編集装置で落書き編集を行ない、利用者の撮影時間や落書き編集時間をより長く確保できる画像プリント作成装置を提供することにある。
【課題を解決するための手段】
【０００８】
前記課題を解決するために、本発明は主として次のような構成を採用する。  
被写体を撮影する撮影手段、前記撮影手段で撮影した撮影画像を表示する表示手段を少なくとも有する撮影装置と、
前記撮影装置で得られた撮影画像に対して編集処理を行う編集手段を有する複数の編集装置と、
前記編集処理を行った編集画像を印刷する印刷装置と、
前記撮影装置、前記編集装置、前記印刷装置を制御する制御装置、とからなる画像プリント作成装置であって、
前記制御装置は、複数の編集装置が利用中であって、前記撮影手段で次の被写体を撮影する以前において、前記複数の編集装置の中の任意の１つの編集装置を利用先として指定する構成とする。
【０００９】
また、前記画像プリント作成装置において、前記制御装置は、前記複数の編集装置の編集処理が終了するそれぞれの時間予測を行い、前記時間予測した時間に基づいて複数の編集装置の１つを前記次の被写体のための利用先として指定する構成とする。
【００１０】
また、前記画像プリント作成装置において、前記編集装置が２台の場合に、前記制御装置は、第１の編集装置と第２の編集装置がともに編集処理を行っているとき、編集処理が終了するそれぞれの時間予測を行い、前記時間予測した時間に基づいて第１の編集装置か第２の編集装置のいずれかを利用先として指定する構成とする。その際、前記制御装置は、前記時間予測によって編集処理が先に終了する編集装置の方を利用先として指定する構成とする。
【発明の効果】
【００１１】
本発明によると、本発明の装置を利用する際に画像の編集を行う際、利用者に待ち時間を意識させることなく、編集空間へ誘導することができる。
【００１２】
また、編集室が利用中であり、使用できない状態であっても撮影時間を延長することで利用者に待ち時間を意識させず、効率的な客の回転を促すことができる。
【発明を実施するための最良の形態】
【００１３】
本発明の実施形態に係る画像プリント作成装置について、図１〜図９を参照しながら以下詳細に説明する。
【００１４】
図１は本発明の実施形態に係る画像プリント作成装置の基本的構成を示す見取図である。図２は本発明の実施形態に係る画像プリント作成装置の基本的構成を示す内部の側面図である。図３は本発明の実施形態に係る画像プリント作成装置の基本的構成を示す内部の上面図である。
【００１５】
各図面で示される、１は本体部筐体、２，６は編集部筐体、３は床面、４は背面部筐体、５は通路、７は写真シール排出口、８は屋根部、９Ａ，９Ｂ，１０Ａ，１０Ｂは通路、１１Ａ，１１Ｂ，１１Ｃはストロボ、をそれぞれ表す。
【００１６】
図１に示すように本実施形態に係る画像プリント作成装置は、その両側部は開口し、利用者がいずれの方向からも出入りできる構造となっており、遮光性素材を用いたカーテンで仕切られている。
【００１７】
本実施形態に係る画像プリント作成装置は本体部筐体１と、編集部筐体２，６と、背面部筐体４と、床板３と、屋根部８とから構成され、本体部筐体１と背面部筐体４とは床板３および屋根部８の結合部材によって所定間隔の距離を隔てて結合されている。背面部筐体４と編集部筐体２，６は背中合わせに結合されている。本体部筐体１と背面部筐体４との間の空間は、複数もしくは単体の被写体が本体部筐体１に入室可能となる通路５となるものである。
【００１８】
また、背面部筐体４の中央部は開口しており、通路９Ａまたは通路９Ｂを通って画像プリント作成装置の後部へ移動可能となっている。利用者は撮影後、編集部筐体６を利用する場合は通路９Ａを通り、編集部筐体６へ移動する。同様に、編集部筐体２を利用する場合は通路９Ｂを通り、編集部筐体２へ移動する。編集後、それぞれ通路１０Ａ、通路１０Ｂを通って、編集部筐体２の側面にある写真シール排出口７へ移動できる。各図で示される画像プリント作成装置内には撮影対象の被写体を収容可能な空間を有する撮影室を有している。この撮影室には入室した被写体の背面側から照明光を照射する背面照明装置が設けられても構わない。
【００１９】
次に、図４は本発明の実施形態に係る画像プリント作成装置における本体部筐体の構成を示す見取図である。図５は本実施形態に係る画像プリント作成装置における本体部筐体の具体的構成を示す正面図である。図６は本実施形態に係る画像プリント作成装置における編集部筐体の具体的構成を示す正面図である。
【００２０】
各図面において、１３はスイッチパネル、１４，２４Ａ，２４Ｂはキャスター、１５は液晶モニタ、１６はタッチペン、１７，２６Ａ，２６Ｂはスピーカ、１８はデジタルカメラ、１９，２７Ａ，２７Ｂはタッチパネル付きディスプレイ、２０は課金装置、２１はストロボ用電源、２２はプリンタ、２３はＵＰＳ（無停電電源装置）、２５Ａ，２５Ｂはライト、２８Ａ，２８Ｂはタッチペン、２９はパーソナルコンピュータ、をそれぞれ表す。
【００２１】
図４と図５において、本体部筐体1の正面ほぼ中央には被写体を撮影するデジタルカメラ１８が設置されている。また、本体部筐体１の上部および左右にはストロボ１１Ａ〜１１Ｃが設置されている。このストロボ１１Ａ〜１１Ｃはデジタルカメラ１８で被写体を撮影するときのみ発光し、その光の強さにより撮影する画像の明るさを調整可能になっている。
【００２２】
また、上方および左右には、常時点灯し、操作中の利用者の周囲を照らすライト１２Ａ〜１２Ｃが設置されている。また、デジタルカメラ１８の下方には、被写体を撮影するときに、実際に写っている画像を確認するための液晶モニタ１５が設置されている。利用者は撮影のときに液晶モニタ１５に表示される自分の像を見ながら、立つ位置やポーズ、顔の位置などを調整、確認する。
【００２３】
本体部筐体１の胴部付近には、撮影の操作画面や進行状況、ガイダンスなどを表示するタッチパネル付きディスプレイ１９が設けられている。利用者が入力装置を構成するタッチペン１６でタッチパネル面のアイコンなどをタッチすると、タッチパネル付きディスプレイ１９はその位置を検出し、接触位置に表示したアイコンに割り当てられた機能または動作を開始する。この他に、スピーカ１７、課金装置２０、さらに本体部筐体１の内部にスイッチパネル１３、ストロボ用電源２１が設けられている。
【００２４】
図６において編集部筐体２，６には落書きの操作画面や進行状況やガイダンスなどを表示するタッチパネル付きディスプレイ２７Ａ，２７Ｂと、タッチペン２８Ａ，２８Ｂと、周囲を照らすライト２５Ａ，２５Ｂと、スピーカ２６Ａ，２６Ｂと、キャスター２４Ａ，２４Ｂとが設けられている。さらに、編集部筐体２の内部にパーソナルコンピュータ２９と、プリンタ２２と、ＵＰＳ（無停電電源装置）２３とが設けられている。
【００２５】
スピーカ１７および２６Ａ，２６Ｂは操作中の音楽やガイダンスの音声を出力する。課金装置２０は利用料金の投入を受け付けて収納する。無料設定時を考慮し、取り外し可能なものとなっている。ストロボ用電源２１はストロボ１１Ａ〜１１Ｃに対して利用者が選択した明るさに応じた電力を供給する。
【００２６】
パーソナルコンピュータ２９（以下、ＰＣと記す）は、撮影制御、撮影画像を加工または編集し利用者に落書き機能を提供する画像編集処理、印刷制御としての機能を有する。プリンタ２２は画像を所定の用紙に印刷して出力する。ＵＰＳ２３は停電時にも電源供給をする無停電電源装置である。キャスター１４および２４Ａ，２４Ｂは本体部筐体１の移動時に利用し、位置決定後はロックする。スイッチパネル１３はテスト用のスイッチやボリュームスイッチを固定したパネルである。  
次に、図７は本発明の実施形態に係る画像プリント作成装置の機能乃至動作を示す構成ブロック図である。図７において本実施形態に係る画像プリント作成装置は、全体の制御を行うパーソナルコンピュータ（ＰＣ）２９を備え、このＰＣ２９は、ＣＰＵ（中央処理装置）２０１、メモリ２０２、Ｉ／Ｏ制御部２０３、音声出力部２０４、データ記憶部２０５、画像処理部２０６、画像出力部２０７から構成されている。これらの構成要素は図示されたようにＣＰＵ２０１にそれぞれ接続されている。Ｉ／Ｏ制御部２０３は、デジタルカメラＩ／Ｆ（インタフェース）２０８、タッチパネル３９、タッチパネル３７Ａ，３７Ｂ、課金装置２０、ストロボ用電源２１に接続され、これらの構成要素の制御を行う。
【００２７】
ＣＰＵ２０１は、デジタルカメラＩ／Ｆ（インタフェース）２０８からの圧縮ディジタル信号を受信し、被撮影者の全身画像の輪郭を抽出し、その撮影された全身画像の歪み補正を行い、利用者が画像編集を行なった後に、プリンタ２２ヘプリント出力処理を行なう。メモリ２０２には、カメラ１８から取り込んだ画像データが記憶されるほか、ＣＰＵ２０１に発する命令と画像プリント作成装置の制御手順となる命令群がプログラムとして記憶されている。また、メモリ２０２には、ＣＰＵ２０１の処理データもワークデータとして一時的に記憶する。
【００２８】
音声出力部２０４は音声再生用のスピーカ１７および２６Ａ，２６Ｂに接続し、利用者に対してガイドや音楽、効果音などを再生する。データ記憶部２０５には、被写体の画像と重ね合せる合成画像データ、タッチパネル付きディスプレイ１９および２７Ａ，２７Ｂに表示する操作メニューのガイドが記憶されている。
【００２９】
画像処理部２０６は、メモリ２０２に記憶させた被写体の画像データとデータ記憶部２０５にある合成画像データを合成・編集するための処理が行われる。また、画像出力部２０７は、タッチパネル付きディスプレイ１９および２７Ａ，２７Ｂ、プリンタ２２に接続されている。タッチパネル付きディスプレイ１９および２７Ａ，２７Ｂは利用者に対する説明や操作のための画面を表示する。プリンタ２２は撮影・編集した画像を葉書もしくはシールに印刷する。
【００３０】
Ｉ／Ｏ制御部２０３は、デジタルカメラＩ／Ｆ（インタフェース）２０８に接続し、カメラ１８で撮影した画像データを受け付ける。また、Ｉ／Ｏ制御部２０３はタッチパネル３９および３７Ａ，３７Ｂからの操作データを受け付ける。タッチパネル３９および３７Ａ，３７Ｂは、それぞれタッチパネル付きディスプレイ１９および２７Ａ，２７Ｂの表示画面表面に設けられた液晶パネルであり、表示画面に操作メニューなどを表示し、種々の選択条件を押圧操作によって入力するために利用するものである。
【００３１】
Ｉ／Ｏ制御部２０３は課金装置２０に接続され、コインの投入の有無や、不正コインの投入などをＣＰＵ２０１からの制御に従って検知する。投入されたコインの形状と重さを計測し、真正コインではないコインに対し、さらにコインの表裏の模様を判定し、投入されたコインが真正コインか、不正コインや偽造コインであるかどうかを判別する。Ｉ／Ｏ制御部２０３はストロボ用電源２１を制御し、ストロボ１１Ａ〜Ｃに対して電圧を加え、発光面全体を一様に発光させる。
【００３２】
図８は本発明の実施形態に係る画像プリント作成装置における撮影、撮影画像の編集、印刷の処理手順を示すフローチャートである。図９は本発明の実施形態に係る画像プリント作成装置の処理手順の内における編集部筐体の選択および撮影時間の算出に関する詳細な処理手順を示すフローチャートである。
【００３３】
まず、本実施形態に係る画像プリント装置の管理側の設定として、電源を投入し、この電源投入で機器動作確認として蛍光灯照明機器の点灯や点滅確認、ＰＣの起動確認が行われ、カメラ撮影準備としてシャッタースピード、絞りの設定が行われ、さらにプリンタの印刷準備、ウオームアップが開始される。
【００３４】
ステップ８０１での初期設定が終わると、顧客操作を受け入れるためのデモが開始され、画像プリント作成装置の紹介、操作手順のデモが行われる（ステップ８０２）。実際に利用者が本体部筐体１の撮影装置を使い、撮影を開始するために規定枚数のコインが投入されると、撮影を行うための処理手順が画面上に表示される。なお、１枚目のコインが投入されると、撮影用のカメラが起動し、利用者を撮影する動画が表示される。
【００３５】
ステップ８０３で利用者は撮影の際の明るさを選択する。その際に利用者はタッチパネル３９に対してタッチペン１６でタッチすることで選択を行う。このとき、利用者の選択に応じた明るさはストロボ用電源２１に設定される。
【００３６】
ステップ８０４では利用する編集部筐体の選択と撮影時間の算出が行なわれる。ステップ８０４の編集部筐体の選択と撮影時間の算出については図９を用いて説明する。
【００３７】
図９において、撮影部筐体（本体部筐体）に利用者が入室し、撮影処理を開始すると編集部筐体の選択と撮影時間の算出処理を開始する（ステップ９０１）。編集部筐体の選択を行う場合、（１）第１の編集部筐体および第２の編集部筐体のそれぞれ両方ともユーザが利用している状態であるのか、（２）どちらか一方の編集部筐体もしくは両方の編集部筐体が利用できる状態であるかどうかを確認する。
【００３８】
（２）に該当する場合利用者は、空いている編集部筐体のどちらか、両方空いているときには任意の編集部筐体のいずれかを選択し、移動するので（ステップ９０２）、待ち時間が発生せず、編集部筐体の選択処理も発生しないのでそのまま、この処理を終了する（ステップ９０３）。
【００３９】
ステップ９０２で（１）に該当する場合、つまり、複数の編集部筐体がいずれも利用されている場合には編集部筐体のどちらかを利用先に指定するためにステップ９０４〜ステップ９０６で説明されるどちらの編集部筐体での編集処理時間が先に終了するのか時間予測を行うことによってどの編集部筐体を指定するのかを決定する。
【００４０】
編集部筐体１および編集部筐体２の両方がそれぞれ利用中のときは、編集部筐体１と編集部筐体２のうちどちらが先に終了するか計算し（ステップ９０４）、編集部筐体１が先に終了すると確認した場合は編集部筐体１を編集利用先に選択し（ステップ９０５）、それ以外の場合は編集部筐体２を編集利用先に選択する（ステップ９０６）。
【００４１】
複数の編集室のいずれもが利用されており、どちらが先に編集処理を終了するかどうかを確認するために、以下の処理を行う。それぞれの編集部筐体における編集時間は予め、決められているのでそれぞれの編集部筐体内でそれぞれの編集処理の開始時間から予め決められている編集時間との差分と、別の利用者が撮影筐体に入り、撮影を開始した時間を比較すれば、いずれかの編集処理が先に終わるかどうかを確認できる。
【００４２】
なお、編集の開始時間は選択した落書きに対するペンによって落書きのイベントが開始されたことで撮影時間の開始としても良いし、撮影筐体で撮影された画像が転送され、編集部筐体の表示装置上に表示された時間を開始時間としても良い。
【００４３】
また、ステップ９０４では複数の編集室がそれぞれ利用されている状態で、別の利用者が撮影筐体に入り、撮影開始のタイミングで複数の編集室での残り編集時間を計測しておく。また、撮影開始のタイミングに代えて、コイン投入時のタイミングを利用してもよい。
【００４４】
次にステップ９０４〜ステップ９０６の処理で編集部筐体が利用可能となるまでの時間を予測し（ステップ９０７）、その予測結果から編集処理の利用先である編集部筐体を選択する（ステップ９０８）。ステップ９０７が対象となるのはステップ９０４〜ステップ９０６でどちらの編集部筐体が先に編集を終了するかどうかを予測し、先に編集処理が終わる編集部筐体を選択する。
【００４５】
ステップ９０７で予測された時間が装置の管理者が予め、設定した規定値以下の場合は（ステップ９０９）撮影時間を規定値とし（ステップ９１０）、規定値を超える場合には予測した時間を撮影時間に追加設定する（ステップ９１１）。このように撮影時間を算出し、編集に利用する編集部筐体を決定して終了する（ステップ９１１）。
【００４６】
つまり、例えば、編集部筐体１での編集開始時間が１５：３０とし、編集部筐体２の編集開始時間を１５：３１とし、編集時間は予め６分と定めているとする。次の利用者が撮影開始した時間が１５：３２だった場合、編集部筐体１での編集残時間は４分であり、１５：３６に終了し、編集部筐体２での残り時間は５分となり、１５：３７となる。
【００４７】
撮影時間についても予め決められており、この時間を２分とすると、１５：３２に始まった撮影時間は１５：３４に終了することになるが、この時点では編集部筐体１、２では編集時間がまだ終了していない。
【００４８】
そこで管理者が規定している値と比較する。ここで比較する管理者が決めた時間は1分とした場合、撮影終了時間が１５：３４であると、編集部筐体１が利用可能になるまでは残り２分あり、編集部筐体２が利用可能になるまでは残り３分あることになり、管理者の規定された時間を越えているので、撮影時間２分を追加することになる。この予測計算と、撮影時間の追加処理は次の利用者が撮影に入った段階で計算、予測されることになる。このように、本発明の実施形態においては、撮影終了時間を編集終了時間に合わせるようにしており、撮影を終了してから編集を開始するのに待ち時間を無くすることができる（撮影時間を延長することによって）。
【００４９】
その後、図８に戻って、ステップ８０５で撮影が開始され、このときに利用者が選択した明るさでストロボが発光する。撮影後は撮影した画像をＰＣ内のデータ記憶部に保存する(ステップ８０６)。算出した撮影時間が終了、または装置管理者によって既定された枚数以上撮影が行なわれた場合（ステップ８０７）はステップ８０８へ移り、それ以外は再びステップ８０５の撮影に戻る。
【００５０】
ステップ８０８ではステップ８０４で選択した編集部筐体が第１の編集部筐体および第２の編集部筐体かどうかチェックし、両方が選択されている場合、利用者に利用する編集部筐体を選択させる(ステップ８１４)。このとき利用者は両方または片方の編集部筐体を選択することができる。両方の編集部筐体を選択すると、各人又は各グループが各人又は各グループの好みで各編集部筐体を用いて落書き、背景合成などの編集処理を行うことが可能となる。
【００５１】
次に、利用者は決定した編集部筐体で編集・印刷する画像（複数存在する撮影画像の内から編集のための画像を選択）を選択する(ステップ８０９) 。例示すると、６枚又は８枚撮影した内の４枚を編集用として選択するのであるが、この選択を撮影部筐体で行うのではなくて、編集部筐体で行うことにしている（本発明の実施形態の特徴の１つでもある）。この選択作業を複数台ある編集部筐体側で行うことによって、従来の（実撮影時間＋選択作業時間）からなる撮影時間を選択作業時間分だけ短縮できる。
【００５２】
選択後、画像の落書きや背景合成などの編集処理（日付、手書き文字、スタンプなどを撮影画像に書き加える落書き処理）を行なう（ステップ８１０）。落書きが終了したら印刷する際のレイアウト選択へ移行する（ステップ８１１）。レイアウト選択後、編集した画像をプリンタで印刷する（ステップ８１２）。利用者は第２の編集部筐体の側面へ移動し、印刷出力を待つ。印刷処理終了後（ステップ８１３）、オープニング画面（ステップ８０１）へ戻る。
【図面の簡単な説明】
【００５３】
【図１】本発明の実施形態に係る画像プリント作成装置の基本的構成を示す見取図である。
【図２】本発明の実施形態に係る画像プリント作成装置の基本的構成を示す内部の側面図である。
【図３】本発明の実施形態に係る画像プリント作成装置の基本的構成を示す内部の上面図である。
【図４】本発明の実施形態に係る画像プリント作成装置における本体部筐体の構成を示す見取図である。
【図５】本実施形態に係る画像プリント作成装置における本体部筐体の具体的構成を示す正面図である。
【図６】本実施形態に係る画像プリント作成装置における編集部筐体の具体的構成を示す正面図である。
【図７】本発明の実施形態に係る画像プリント作成装置の機能乃至動作を示す構成ブロック図である。
【図８】本発明の実施形態に係る画像プリント作成装置における撮影、撮影画像の編集、印刷の処理手順を示すフローチャートである。
【図９】本発明の実施形態に係る画像プリント作成装置の処理手順の内における編集部筐体の選択および撮影時間の算出に関する詳細な処理手順を示すフローチャートである。
【符号の説明】
【００５４】
１  本体部筐体
２，６  編集部筐体
３  床面
４  背面部筐体
５  通路
７  写真シール排出口
８  屋根部
９Ａ，９Ｂ，１０Ａ，１０Ｂ  通路
１１Ａ，１１Ｂ，１１Ｃ  ストロボ
１２Ａ，１２Ｂ，１２Ｃ，２５Ａ，２５Ｂ  ライト
１３  スイッチパネル
１４，２４Ａ，２４Ｂ  キャスター
１５  液晶モニタ
１６  タッチペン
１７，２６Ａ，２６Ｂ  スピーカ
１８  デジタルカメラ
１９，２７Ａ，２７Ｂ  タッチパネル付きディスプレイ
２０  課金装置
２１  ストロボ用電源
２２  プリンタ
２３  ＵＰＳ（無停電電源装置）
２８Ａ，２８Ｂ  タッチペン
２９  パーソナルコンピュータ
３７Ａ，３７Ｂ，３９  タッチパネル
【図１】
2006276419.tif 000003
【図２】
2006276419.tif 000004
【図３】
2006276419.tif 000005
【図４】
2006276419.tif 000006
【図５】
2006276419.tif 000007
【図６】
2006276419.tif 000008
【図７】
2006276419.tif 000009
【図８】
2006276419.tif 000010
【図９】
2006276419.tif 000011